(57)【要約】      （修正有）【課題】地域の防犯力の向上に寄与可能なインターホンシステムを提供する。【解決手段】インターホンシステムは、各住居に取り付けられ、操作部５２とカメラ５６とをそれぞれ有する複数の玄関子機５と、それぞれ対応する玄関子機と通信可能に構成される複数の居室親機２と、複数の居室親機と通信可能なサーバ４と、表示部を有し、制御部と通信可能に構成され、ユーザ入力情報を含む要求信号をサーバに送信する情報端末３と、を備えている。そして、サーバは、複数の玄関子機５のそれぞれの識別情報と、カメラ５６によって撮像された画像データとを複数の居室親機を介して取得し、識別情報と画像データとに基づいて不審者に関する不審者情報を生成し、情報端末からの要求信号に含まれるユーザ入力情報に基づいて生成した不審者情報のうち情報端末に関連する不審者情報を情報端末に送信する。【選択図】図２
2019146082.tif 000002
【特許請求の範囲】
【請求項１】
各住居に取り付けられ、操作部とカメラとをそれぞれ有する複数の玄関子機と、
それぞれ対応する前記玄関子機と通信可能に構成される複数の居室親機と、
前記複数の居室親機と通信可能な制御部と、
表示部を有し、前記制御部と通信可能に構成され、ユーザ入力情報を含む要求信号を前記制御部に送信する外部機器と、
を備え、
前記制御部は、前記複数の玄関子機のそれぞれの識別情報と、前記カメラによって撮像された画像データとを前記複数の居室親機を介して取得し、前記識別情報と前記画像データとに基づいて不審者に関する不審者情報を生成し、前記外部機器からの前記要求信号に含まれるユーザ入力情報に基づいて前記生成した不審者情報のうち前記外部機器に関連する前記不審者情報を前記外部機器に送信し、
前記外部機器は、前記ユーザ入力情報に基づいて設定された案内経路の情報と、前記不審者情報と、地図情報とを前記表示部に表示させるように構成されている、インターホンシステム。
【請求項２】
前記外部機器に関連する前記不審者情報は、前記案内経路を含む所定の領域内に存在する玄関子機から取得した前記識別情報と前記画像データとに基づいて生成された前記不審者情報である、請求項１に記載のインターホンシステム。
【請求項３】
前記外部機器に関連する前記不審者情報は、前記不審者の現在時刻から所定の時間前までの位置および時刻を含む、請求項１または２に記載のインターホンシステム。
【請求項４】
前記案内経路は、前記ユーザからの入力情報および前記不審者情報に基づいて設定される、請求項１から３のいずれか一項に記載のインターホンシステム。
【請求項５】
前記制御部は、前記外部機器からの停止信号を受信するまでの間に新たに前記外部機器に関連する不審者情報を生成した場合には、前記新たに生成された不審者情報を前記外部機器へ送信する、請求項１から４のいずれか一項に記載のインターホンシステム。
【請求項６】
前記外部機器または前記制御部は、前記不審者情報に基づいて、前記案内経路あるいは前記外部機器に不審者が近づいていると判断した場合には、前記外部機器はアラームを出力する、請求項５に記載のインターホンシステム。
【請求項７】
各住居に取り付けられ、操作部とカメラとをそれぞれ有する複数のドアベルと、
前記複数のドアベルと通信可能な制御部と、
表示部を有し、前記制御部と通信可能に構成され、ユーザ入力情報を含む要求信号を前記制御部に送信する外部機器と、
を備え、
前記制御部は、前記複数のドアベルのそれぞれの識別情報と、前記カメラによって撮像された画像データとを取得し、前記識別情報と前記画像データとに基づいて不審者に関する不審者情報を生成し、前記外部機器からの前記要求信号に含まれるユーザ入力情報に基づいて前記生成した不審者情報のうち前記外部機器に関連する前記不審者情報を前記外部機器に送信し、
前記外部機器は、前記ユーザからの入力情報に基づいて設定された案内経路の情報と、前記不審者情報と、地図情報とを前記表示部に表示させるように構成されている、ドアベルシステム。
【請求項８】
前記外部機器に関連する前記不審者情報は、前記案内経路を含む所定の領域内に存在するドアベルから取得した前記識別情報と前記画像データとに基づいて生成された前記不審者情報である、請求項７に記載のドアベルシステム。
【請求項９】
前記外部機器に関連する前記不審者情報は、前記不審者の現在時刻から所定の時間前までの位置および時刻を含む、請求項７または８に記載のドアベルシステム。
【請求項１０】
前記案内経路は、前記ユーザからの入力情報および前記不審者情報に基づいて設定される、請求項７から９のいずれか一項に記載のドアベルシステム。
【請求項１１】
前記制御部は、前記外部機器からの停止信号を受信するまでの間に新たに前記外部機器に関連する不審者情報を生成した場合には、前記新たに生成された不審者情報を前記外部機器へ送信する、請求項７から１０のいずれか一項に記載のドアベルシステム。
【請求項１２】
前記外部機器または前記制御部は、前記不審者情報に基づいて、前記案内経路あるいは前記外部機器に不審者が近づいていると判断した場合には、前記外部機器はアラームを出力する、請求項１１に記載のドアベルシステム。
【発明の詳細な説明】
【技術分野】
【０００１】
本発明は、インターホンシステムおよびドアベルシステムに関する。
【背景技術】
【０００２】
スピーカと、マイクと、カメラと、操作部とを備えた玄関子機と、玄関子機と通信可能に構成され且つ遠隔配置されるコンピューティング・デバイスと無線通信可能な居室親機とを有するインターホンシステムが知られている（特許文献１等参照）。また、スピーカと、マイクと、カメラと、操作部とを備え、遠隔配置されるコンピューティング・デバイスと無線通信可能なＷＩＦＩドアベルが知られている（特許文献２等参照）。
【先行技術文献】
【特許文献】
【０００３】
【特許文献１】特開２０１７−９２７２６号公報
【特許文献２】米国特許第９０９４５８４号明細書
【特許文献３】米国特許第８８７２９１５号明細書
【特許文献４】米国特許第９２３７３１８号明細書
【特許文献５】米国特許第８１４４１８３号明細書
【特許文献６】米国特許第９４３２６３８号明細書
【特許文献７】米国特許第９４８５４７８号明細書
【特許文献８】米国特許第９５１６２８４号明細書
【発明の概要】
【発明が解決しようとする課題】
【０００４】
近年は、核家族などが増え、地域の防犯力が弱まっていると言われている。一方で、不審者による犯罪は無くならないのが現状であり、地域の防犯力の向上が期待されている。
【０００５】
そこで、本発明は、地域の防犯力の向上に寄与可能な構成を備えたインターホンシステムおよびドアベルシステムを提供することを目的とする。
【課題を解決するための手段】
【０００６】
上記目的を達成するために、本発明のインターホンシステムは、
各住居に取り付けられ、操作部とカメラとをそれぞれ有する複数の玄関子機と、
それぞれ対応する前記玄関子機と通信可能に構成される複数の居室親機と、
前記複数の居室親機と通信可能な制御部と、
表示部を有し、前記制御部と通信可能に構成され、ユーザ入力情報を含む要求信号を前記制御部に送信する外部機器と、
を備え、
前記制御部は、前記複数の玄関子機のそれぞれの識別情報と、前記カメラによって撮像された画像データとを前記複数の居室親機を介して取得し、前記識別情報と前記画像データとに基づいて不審者に関する不審者情報を生成し、前記外部機器からの前記要求信号に含まれるユーザ入力情報に基づいて前記生成した不審者情報のうち前記外部機器に関連する前記不審者情報を前記外部機器に送信し、
前記外部機器は、前記ユーザ入力情報に基づいて設定された案内経路の情報と、前記不審者情報と、地図情報とを前記表示部に表示させるように構成されている。
【０００７】
上記構成によれば、各住居に取り付けられた複数の玄関子機からの識別情報および画像データに基づいて不審者情報を生成し、外部機器に関連する不審者情報をユーザに知らせることにより、地域の防犯力の向上に寄与可能な構成を備えたインターホンシステムを提供することができる。また、外部機器の表示部に表示された地図および案内経路と共に不審者情報を表示させることで、ユーザが案内経路付近の不審者情報を容易に把握することができる。
【０００８】
また、上記インターホンシステムにおいて、
前記外部機器に関連する前記不審者情報は、前記案内経路を含む所定の領域内に存在する玄関子機から取得した前記識別情報と前記画像データとに基づいて生成された前記不審者情報でもよい。
【０００９】
この構成によれば、ユーザは案内経路を含む所定の領域内の不審者情報を把握できるため、効果的な情報提供を行うことができる。
【００１０】
また、上記インターホンシステムにおいて、
前記外部機器に関連する前記不審者情報は、前記不審者の現在時刻から所定の時間前までの位置および時刻を含んでもよい。
【００１１】
この構成によれば、不審者の現在時刻から所定の時間前までの位置や時刻を把握できるため、効果的な情報提供を行うことができる。
【００１２】
また、上記インターホンシステムにおいて、
前記案内経路は、前記ユーザからの入力情報および前記不審者情報に基づいて設定されてもよい。
【００１３】
この構成によれば、例えば、最短経路付近に不審者情報が多数存在する場合には、案内経路として不審者情報が少ない別の経路を設定することができるため、地域防犯力の向上に役立たせることができる。
【００１４】
また、上記インターホンシステムにおいて、
前記制御部は、前記外部機器からの停止信号を受信するまでの間に新たに前記外部機器に関連する不審者情報を生成した場合には、前記新たに生成された不審者情報を前記外部機器へ送信してもよい。
【００１５】
この構成によれば、ユーザはリアルタイムで不審者情報を把握することができるため、地域の防犯力が向上する。
【００１６】
また、上記インターホンシステムにおいて、
前記外部機器または前記制御部が、前記不審者情報に基づいて、前記案内経路あるいは前記外部機器に不審者が近づいていると判断した場合には、前記外部機器は、アラームを出力してもよい。
【００１７】
この構成によれば、不審者が案内経路あるいは外部機器（ユーザの位置）に不審者が近づいていると判断された場合には、外部機器はアラームを出力するため、地域の防犯力が向上する。
【００１８】
また、上記目的を達成するために、本発明のドアベルシステムは、
各住居に取り付けられ、操作部とカメラとをそれぞれ有する複数のドアベルと、
前記複数のドアベルと通信可能な制御部と、
表示部を有し、前記制御部と通信可能に構成され、ユーザ入力情報を含む要求信号を前記制御部に送信する外部機器と、
を備え、
前記制御部は、前記複数のドアベルのそれぞれの識別情報と、前記カメラによって撮像された画像データとを取得し、前記識別情報と前記画像データとに基づいて不審者に関する不審者情報を生成し、前記外部機器からの前記要求信号に含まれるユーザ入力情報に基づいて前記生成した不審者情報のうち前記外部機器に関連する前記不審者情報を前記外部機器に送信し、
前記外部機器は、前記ユーザからの入力情報に基づいて設定された案内経路の情報と、前記不審者情報と、地図情報とを前記表示部に表示させるように構成されている。
【００１９】
上記構成によれば、各住居に取り付けられた複数のドアベルからの識別情報および画像データに基づいて不審者情報を生成し、外部機器に関連する不審者情報をユーザに知らせることにより、地域の防犯力の向上に寄与可能な構成を備えたドアベルシステムを提供することができる。また、外部機器の表示部に表示された地図および案内経路と共に不審者情報を表示させることで、ユーザが案内経路付近の不審者情報を容易に把握することができる。
【００２０】
また、上記ドアベルシステムにおいて、
前記外部機器に関連する前記不審者情報は、前記案内経路を含む所定の領域内に存在するドアベルから取得した前記識別情報と前記画像データとに基づいて生成された前記不審者情報でもよい。
【００２１】
この構成によれば、ユーザは案内経路を含む所定の領域内の不審者情報を把握できるため、効果的な情報提供を行うことができる。
【００２２】
また、上記ドアベルシステムにおいて、
前記外部機器に関連する前記不審者情報は、前記不審者の現在時刻から所定の時間前までの位置および時刻を含んでもよい。
【００２３】
この構成によれば、不審者の現在時刻から所定の時間前までの位置や時刻を把握できるため、効果的な情報提供を行うことができる。
【００２４】
また、上記ドアベルシステムにおいて、
前記案内経路は、前記ユーザからの入力情報および前記不審者情報に基づいて設定されてもよい。
【００２５】
この構成によれば、例えば、最短経路付近に不審者情報が多数存在する場合には、案内経路として不審者情報が少ない別の経路を設定することにより、地域防犯力の向上に役立たせることができる。
【００２６】
また、上記ドアベルシステムにおいて、
前記制御部は、前記外部機器からの停止信号を受信するまでの間に新たに前記外部機器に関連する不審者情報を生成した場合には、前記新たに生成された不審者情報を前記外部機器へ送信してもよい。
【００２７】
この構成によれば、ユーザはリアルタイムで不審者情報を把握することができるため、地域の防犯力が向上する。
【００２８】
また、上記ドアベルシステムにおいて、
前記外部機器または前記制御部が、前記不審者情報に基づいて、前記案内経路あるいは前記外部機器に不審者が近づいていると判断した場合には、前記外部機器は、アラームを出力してもよい。
【００２９】
この構成によれば、不審者が案内経路あるいは外部機器（ユーザの位置）に不審者が近づいていると判断された場合には、外部機器はアラームを出力するため、地域の防犯力が向上する。
【発明の効果】
【００３０】
本発明によれば、地域の防犯力の向上に寄与可能な構成を備えたインターホンシステムおよびドアベルシステムを提供することができる。
【図面の簡単な説明】
【００３１】
【図１】本発明の第１実施形態に係るインターホンシステムの構成を示す図である。
【図２】図１のインターホンシステムが備える居室親機および玄関子機の構成を示す機能ブロック図である。
【図３】図１のインターホンシステムが備える情報端末の構成を示す図である。
【図４】図１のインターホンシステムが備える情報端末の経路検索画面の例を示す図である。
【図５】図１のインターホンシステムにより実行される不審者情報登録機能の動作を説明するためのフローチャートである。
【図６】図１のインターホンシステムにより実行される不審者情報表示機能の動作を説明するためのフローチャートである。
【図７】図１のインターホンシステムが備えるサーバの記憶部に記憶される情報テーブルの一例を示す図である。
【図８】情報端末の不審者情報を表示する経路検索結果画面の例を示す図である。
【図９】本発明の第２実施形態に係るドアベルシステムの構成を示す図である。
【図１０】図９のドアベルシステムが備えるドアベルの構成を示す機能ブロック図である。
【図１１】図９のドアベルシステムにより実行される不審者情報登録機能の動作を説明するためのフローチャートである。
【図１２】図９のドアベルシステムが備えるサーバの記憶部に記憶される情報テーブルの一例を示す図である。
【発明を実施するための形態】
【００３２】
以下、本実施形態について、添付の図面を参照して説明する。
【００３３】
（第１実施形態）
図１は、第１実施形態に係るインターホンシステムの構成を示す図である。
図１に示すように、インターホンシステム１は、複数の居室親機２−１〜２−ｎと、複数の情報端末３−１〜３−ｎ（外部機器の一例）と、サーバ４と、複数の玄関子機５−１〜５−ｎと、を含む。複数の居室親機２−１〜２−ｎと、複数の情報端末３−１〜３−ｎとは、ネットワークＮを介して、外部ネットワーク上にあるサーバ４と通信可能である。各居室親機２−１〜２−ｎおよび各情報端末３−１〜３−ｎとネットワークＮとを中継する通信機器としては、例えば、Ｗｉ−Ｆｉルータが用いられ得る。複数の居室親機２−１〜２−ｎと、対応する複数の玄関子機５−１〜５−ｎとの間は、それぞれ信号線Ｌを介して通信可能に構成されている。以下では、複数の居室親機２−１〜２−ｎのうち居室親機２−１（以下、居室親機２と称する）について代表して説明する。また、複数の情報端末３−１〜３−ｎのうち情報端末３−１（以下、情報端末３と称する）について代表して説明する。また、複数の玄関子機５−１〜５−ｎのうち玄関子機５−１（以下、玄関子機５と称する）について代表して説明する。
【００３４】
図２は、居室親機２および玄関子機５の構成を示す機能ブロック図である。
玄関子機５は、来訪者が居住者を呼び出して通話するためなどに用いられるものであり、例えば各建物（戸建住戸など）の玄関等に設置されている。各玄関子機５は、取り付けられる建物の電力システムと所定の配線により電気的に接続されることで、当該電力システムから電力が供給される。なお、玄関子機５は、バックアップおよび／または一次電源用の電池を含んでも良い。居室親機２は、玄関子機５からの来訪者による呼び出しに対して応答するためなどに用いられるものであり、例えば各建物（戸建住戸など）の居室内に設置されている。
【００３５】
図２に示すように、玄関子機５は、制御部５１と、操作部（呼出ボタン）５２と、マイク５３と、スピーカ５４と、人感センサ５５と、カメラ５６と、画像処理部５７と、位置情報取得部５８と、インターフェース回路（以下、インターフェース回路を「Ｉ／Ｆ」と称す）５９とを備えている。
【００３６】
制御部５１は、玄関子機５の各部の動作を制御するための制御部であり、例えば、１以上のプロセッサと１以上のメモリを含む少なくとも一つのマイクロコントローラと、トランジスタ等のアクティブ素子およびパッシブ素子を含むその他電子回路から構成されている。また、制御部５１は、集積回路（ハードウェア資源）によって構成されてもよく、少なくとも一つのマイクロコントローラと集積回路との組み合わせによって構成されてもよい。
【００３７】
操作部５２は、来訪者の各種入力操作を受け付ける。各種入力操作には、例えば、居住者の呼出等が含まれる。操作部５２は、制御部５１を介して、カメラ２６に接続されている。操作部５２は、呼出の入力操作がなされたことを知らせる呼出信号をカメラ５６へ出力する。マイク５３およびスピーカ５４は、居住者（本例では、玄関子機５が設置された建物の居室内に設置された居室親機２や居住者が所有する情報端末３）に向けて来訪者側のメッセージ等の音声データを送出したり、来訪者に向けて居住者側のメッセージ等の音声データを出力するための通話部を構成する。
【００３８】
人感センサ５５は、玄関子機５の前方にいる人物を感知するためのセンサであり、例えば赤外線センサで構成されている。人感センサ５５は、制御部５１を介して、カメラ５６に接続されている。人感センサ５５は、人物を感知したことを知らせる検出信号をカメラ５６へ出力する。カメラ５６は、来訪者等の人物を撮像するための撮像機器である。カメラ５６は、ウェブカメラであるビデオカメラとして構成しても良い。例えば、カメラ５６は、人感センサ５５から出力される検出信号に基づいて起動する。あるいは、操作部５２から出力される呼出信号に基づいて起動する。カメラ５６が撮像した画像は、画像処理部５７へ出力される。画像処理部５７は、例えば、プロセッサとメモリから構成されており、制御部５１の制御信号に基づいて、カメラ５６から取得した画像データを、Ｉ／Ｆ５９を介して居室親機２へ送信する。
【００３９】
位置情報取得部５８は、玄関子機５の位置情報を取得するように構成されている。位置情報は、例えば、ＧＰＳ（Ｇｌｏｂａｌ  Ｐｏｓｉｔｉｏｎｉｎｇ  Ｓｙｓｔｅｍ）を用いて取得される。なお、玄関子機５を建物に設置する際の初期設定時に、居住者によって、玄関子機５の位置情報が位置情報取得部５８に予め登録されてもよい。制御部５１は、位置情報取得部５８により取得された位置情報を、玄関子機５の識別情報と共に、居室親機２へ送信するように構成されている。なお、玄関子機５の位置情報が更新された場合には、制御部５１は、更新された位置情報を、居室親機２へ送信し得る。
【００４０】
Ｉ／Ｆ５９は、信号線Ｌを介して、居室親機２と通信可能である。制御部５１は、Ｉ／Ｆ５９を介して、居室親機２との間で所定のデータ（例えば、音声データや画像データ）の送受信を行う。このように、玄関子機５は、居室親機２に対して所定のデータ（例えば、音声データや画像データ）を送信し、居室親機２や情報端末３のユーザとの間での双方向音声通話等による通信を開始することができる。
【００４１】
居室親機２は、制御部２１と、操作部（応答ボタン）２２と、マイク２３と、スピーカ２４と、表示部２５、玄関子機用Ｉ/Ｆ２６と、サーバ用Ｉ/Ｆ２７と、記憶部２８と、を備えている。
【００４２】
制御部２１は、居室親機２の各部の動作を制御するための制御部であり、例えば、１以上のプロセッサと１以上のメモリを含む少なくとも一つのマイクロコントローラと、トランジスタ等のアクティブ素子およびパッシブ素子を含むその他電子回路から構成されている。また、制御部２１は、集積回路（ハードウェア資源）によって構成されてもよく、少なくとも一つのマイクロコントローラと集積回路との組み合わせによって構成されてもよい。
【００４３】
操作部２２は、居住者の各種入力操作を受け付ける。各種入力操作には、例えば、玄関子機５からの呼出に対する応答操作等が含まれる。マイク２３及びスピーカ２４は、居住者が来訪者との間で通話をする際に、音声データを入出力するための通話部を構成する。表示部２５は、玄関子機５が備えるカメラ５６で撮像された来訪者等の映像（静止画または動画）を表示する。玄関子機用Ｉ／Ｆ２６は、信号線Ｌを介して、玄関子機５と通信可能である。制御部２１は、玄関子機用Ｉ／Ｆ２６を介し、玄関子機５との間で所定のデータ（例えば、音声データや画像データ）の送受信を行う。
【００４４】
サーバ用Ｉ／Ｆ２７は、ネットワークＮを介して、サーバ４と通信可能である。具体的には、サーバ用Ｉ／Ｆ２７は、無線ローカルエリアネットワーク（ＬＡＮ）、ラジオ、セルラー、インターネット、Ｂｌｕｅｔｏｏｔｈ（登録商標）、電磁波、赤外線光、音波、およびマイクロ波等のネットワーク通信手段により、サーバ４と通信可能である。このように、居室親機２は、サーバ４に対して所定のデータ（例えば、音声データや画像データ）を送信し、居室親機２のユーザと、情報端末３のユーザとの間での双方向音声通話等による通信を開始することができる。また、居室親機２は、玄関子機用Ｉ／Ｆ２６を介して取得した玄関子機５の所定のデータ（例えば、音声データや画像データ）をサーバ４へ送信し、来訪者と、情報端末３のユーザとの間での双方向音声通話等による通信を開始することができる。なお、居室親機２のサーバ用Ｉ／Ｆ２７は、情報端末３と直接通信可能に構成されてもよい。
【００４５】
記憶部２８は、例えば、ＲＯＭとＲＡＭを含むメモリから構成されている。記憶部２８は、玄関子機５の初期設定時や更新時に送信された玄関子機５の識別情報および位置情報を記憶している。
【００４６】
制御部２１は、玄関子機５から送信されたデータ（画像データや音声データ）を記憶部２８へ記憶するとともに、当該データをサーバ４へ送信可能である。また、制御部２１は、サーバ４から送信されたデータ（情報端末３から送信されたデータ）を記憶部２８へ記憶するとともに、当該データを玄関子機５へ送信可能である。このように、居室親機２は、所定のデータ（例えば、音声データや画像データ）を、玄関子機５およびサーバ４（サーバ４を介して情報端末３）との間で送受信することにより、玄関子機５が設置された建物への来訪者と情報端末３のユーザとの間での双方向音声通話等による通信を開始することができる。
【００４７】
図３は、情報端末３の構成を示す図である。
情報端末３は、玄関子機５からの呼び出しに、玄関子機５が設置された住居の居住者（ユーザ）が応答するためなどに用いられる機器である。情報端末３は、例えば、居住者が所有するスマートフォン、タブレットコンピュータ、およびその他の携帯情報端末を含む。玄関子機５と情報端末３とは、居室親機２およびサーバ４を介して通信可能である。情報端末３は、位置情報取得のためにＧＰＳを備えてもよい。
【００４８】
情報端末３は、図３に示すように、所定のユーザ・インターフェース３２を表示可能な表示部３０を有している。表示部３０は、液晶ディスプレイ、有機ＥＬディスプレイ等のタッチスクリーン型のディスプレイであって、画像（操作画像等）を表示するように構成されている。情報端末３は、プロセッサとメモリを備えており、玄関子機５から送信されたデータ（画像データや音声データ）に基づいて、所定のコンピュータソフトウェア（例えば、音声通話および画像表示用のアプリケーションソフトウェア）を実行する。例えば、情報端末３は、表示部３０上に表示されるユーザ・インターフェース３２への入力に基づいて所定のアプリケーションソフトウェアを実行することができる。ユーザ・インターフェース３２は、玄関子機５が備えるカメラ５６により撮像された前方領域の画像データに基づいて、静止画または動画の表示画像が表示される画像表示部３４を含む。また、ユーザ・インターフェース３２は、来訪者の呼出に応答することをユーザに許可させるための応答許可受付部３６を含む。ユーザが、応答許可受付部３６をタッチすることで、来訪者の呼出に応答するために、双方向音声通信が開始される。また、ユーザ・インターフェース３２は、画像表示部３４に表示された表示画像の録画をユーザに選択させるための録画受付部３８を含む。ユーザが、当該録画受付部３８をタッチすることで、画像表示部３４に表示される表示画像の録画が可能である。
【００４９】
また、図４に示すように、ユーザ・インターフェース３２は、経路探索するための条件（出発地および目的地の情報）をユーザに設定させるための経路探索設定部３５を含む。ユーザが、当該経路探索設定部３５の所定の欄のそれぞれに、設定条件の情報を文字で入力する、あるいは、複数の候補リストの中から所望の条件を選択して情報を入力することが可能である。また、ユーザ・インターフェース３２は、地図上に出発地から目的地までの案内経路と共に表示すべき不審者情報の条件（例えば、表示期間、表示範囲）をユーザに設定させるための不審者情報設定部３７を含む。ユーザが、当該不審者情報設定部３７の所定の欄のそれぞれに、設定条件の情報を文字で入力する、あるいは、複数の候補リストの中から所望の条件を選択して情報を入力することが可能である。ユーザ・インターフェース３２を介して入力されたこれらの情報は、サーバ４へ送信される。なお、表示期間および表示範囲の欄には、予め所定の値が設定され、ユーザからの入力がない場合には、予め設定された所定の値が、サーバ４へ送信されてもよい。
【００５０】
図２に示すように、サーバ４は、記憶部４０と、制御部４２とを備えている。記憶部４０は、例えば、ＲＯＭとＲＡＭを含むメモリから構成されている。制御部４２は、例えば、１以上のプロセッサと１以上のメモリを含む少なくとも一つのマイクロコントローラと、トランジスタ等のアクティブ素子およびパッシブ素子を含むその他電子回路から構成されている。また、制御部４２は、集積回路（ハードウェア資源）によって構成されてもよく、少なくとも一つのマイクロコントローラと集積回路との組み合わせによって構成されてもよい。
【００５１】
制御部４２は、居室親機２から送信されたデータ（画像データや音声データ）を記憶部４０へ記憶するとともに、当該データを情報端末３へ送信可能である。また、制御部４２は、情報端末３から送信されたデータを記憶部４０へ記憶するとともに、当該データを居室親機２へ送信可能である。このように、サーバ４は、所定のデータ（例えば、音声データや画像データ）を、居室親機２および情報端末３との間で送受信することにより、居室親機２のユーザと情報端末３のユーザとの間での双方向音声通話等による通信を開始することができる。また、所定のデータが玄関子機５から送信されたデータの場合には、玄関子機５が設置された建物への来訪者と情報端末３のユーザとの間での双方向音声通話等による通信を開始することができる。なお、上述の通り、サーバ４を介さずに、居室親機２と情報端末３との間でデータを送受信しても良い。
【００５２】
また、記憶部４０には、来訪者が不審者に該当するか否かを判定するための不審者判定データが記憶されている。不審者判定データとしては、例えば、予め記憶部４０に記憶された不審者の画像が含まれ得る。また、不審者判定データには、不審者を判定するための行動パターンが含まれてもよい。予め記憶部４０に記憶された不審者の画像は、玄関子機５の人感センサ５５による感知あるいは操作部５２の呼出操作に基づいてカメラ５６が撮像した人物の画像を、玄関子機５のユーザが情報端末３あるいは居室親機２を介して不審者として登録した画像が含まれる。不審者を判定するための行動パターンとしては、正規の出入口からではない箇所から進入してきた場合が含まれる。
【００５３】
また、記憶部４０には、例えば、玄関子機５の識別情報、玄関子機５の位置情報、不審者該当時刻を含む情報テーブル（不審者情報の一例）が記憶されている（図７参照）。また、記憶部４０には、地図情報が記憶されている。例えば、制御部４１は、ネットワークを介して他のサーバから定期的に地図情報を取得し、記憶部４０に記憶および更新する。
【００５４】
制御部４２は、居室親機２を介して玄関子機５から受信したデータと記憶部４０に記憶されている不審者判定データを用いて、不審者判定処理を実行可能に構成されている。制御部４２は、不審者判定により玄関子機５から受信したデータに含まれる来訪者が不審者であると判定した場合には、玄関子機５から受信したデータに基づいて、記憶部４０に記憶されている情報テーブルを更新する。
【００５５】
また、制御部４２は、記憶部４０に記憶されている地図情報および情報端末３から送信されたユーザ入力情報に基づいて経路探索を行い、案内経路を算出可能に構成されている。また、制御部４２は、情報端末３から送信されたユーザ入力情報に基づいて、記憶部４０に記憶されている情報テーブル（図７）の不審者情報から、情報端末３に関連する不審者情報（例えば、玄関子機５のカメラ５６により撮像された時の不審者の位置および時刻の情報）を抽出・生成可能に構成されている。
【００５６】
次に、図５を参照して、インターホンシステム１により実行される不審者情報登録機能の動作について説明する。
まず、玄関子機５の制御部５１は、人感センサ５５により前方にいる人物（来訪者または通りかかった人：以下、来訪者と称する）を感知したか否かを判定する（ステップＳ１）。ステップＳ１において、人感センサ５５により来訪者を感知したと判定した場合（ステップＳ１のＹｅｓ）、制御部５１は、カメラ５６により玄関子機５の前方領域（具体的には、来訪者）の撮像を開始する（ステップＳ２）。次に、カメラ５６は、撮像した画像データを画像処理部５７へ送信する（ステップＳ３）。次に、制御部５１は、画像処理部５７が受信した画像データをＩ／Ｆ５９を介して居室親機２に送信する（ステップＳ４）。なお、玄関子機５の初期設定や更新時に識別情報および位置情報が居室親機２の記憶部２８に登録されていない場合には、制御部５１は、画像データとともに玄関子機５の識別情報および位置情報を居室親機２へ送信してもよい。
【００５７】
居室親機２の制御部２１は、記憶部２８から玄関子機５の識別情報および位置情報を取得し（ステップＳ５）、玄関子機５の識別情報および位置情報とともに玄関子機５から受信した画像データをサーバ用Ｉ／Ｆ２７を介してサーバ４へ送信する（ステップＳ６）。なお、玄関子機５の初期設定や更新時に玄関子機５の識別情報および位置情報がサーバ４の記憶部４０に登録されている場合には、制御部２１は、画像データおよび玄関子機５の識別情報のみを送信してもよい。
【００５８】
サーバ４の制御部４２は、居室親機２を介して玄関子機５から受信した画像データを記憶部４０に記憶された不審者判定データと比較し、画像データに含まれる来訪者が不審者に該当するか否かを判定する（ステップＳ７）。例えば、記憶部４０に記憶された不審者の画像データおよび玄関子機５から受信した来訪者の画像データに基づいて顔認証が行われる。ステップＳ７において、画像データに含まれる来訪者が不審者に該当すると判定された場合には（ステップＳ７のＹｅｓ）、制御部４２は、玄関子機５の識別情報、位置情報および画像データに基づいて、記憶部４０に記憶された情報テーブルを更新する（ステップＳ８）。具体的には、玄関子機識別情報、玄関子機位置情報および不審者該当時刻が図７に示す情報テーブルに書き込まれる。なお、情報テーブルには、記憶部４０に記憶された不審者の画像データのアドレス情報あるいは画像データ自体を含めてもよい。あるいは、玄関子機５から受信した不審者の最新の画像データを記憶部４０に記憶し、最新の画像データのアドレス情報あるいは画像データ自体を情報テーブルに含めてもよい。
【００５９】
次に、図４、図６〜図８を参照して、インターホンシステム１により実行される不審者情報表示機能の動作について説明する。
目的地までの経路検索を行いたいユーザは、情報端末３の表示部３０上に表示されるユーザ・インターフェース３２を介して所定のアプリケーションソフトウェアを起動し、所定の情報を入力する（ステップＳ１０）。例えば、ユーザは、経路探索設定部３５および不審者情報設定部３７に、出発地（例えば、現在位置）、目的地、不審者情報の表示設定（表示期間、表示範囲、等）を入力する。表示期間とは、現在時刻からどのくらい前までに取得した不審者情報を表示するかを設定するためのものである。例えば、ユーザは、「２時間前まで」と設定することにより、現在時刻から２時間前までの最近の情報のみを表示させることができる。表示範囲とは、出発地（例えば、現在位置）を中心にどのくらいの距離の範囲内で取得した不審者情報を表示するかを設定するためのものである。例えば、ユーザは、出発地を「現在位置」とし、表示範囲を「半径５００Ｍ」と設定することにより、現在位置から半径５００メートルまでの適切な範囲の不審者情報のみを表示させることができる。このように不審者情報の表示設定を行うことにより、ユーザは案内経路を含む所定の領域内の所定の期間内の不審者情報を把握でき、必要な不審者情報のみを的確に把握することができる。
【００６０】
情報端末３は、ユーザの入力情報を受信する（ステップＳ１０のＹｅｓ）と、ネットワークＮを介して、現在の位置情報およびユーザからの入力情報（出発地、目的地、不審者情報表示設定の情報、等）を含む要求信号をサーバ４に送信する（ステップＳ１１）。情報端末３から要求信号を受信したサーバ４の制御部４２は、要求信号に含まれる情報（現在位置、出発地、目的地、不審者情報表示設定の情報、等）および記憶部４０に記憶された情報テーブルに基づいて、該当する不審者に関する情報を示す不審者情報（情報端末３に関連する不審者情報）を生成する（ステップＳ１２）。該当する不審者とは、ユーザにより入力された不審者の条件を満たす不審者である。例えば、上述の例の場合（「現在位置」、「２時間前まで」「半径５００Ｍ」）、現在位置から半径５００メートルまでの範囲内に位置する玄関子機５により現在時刻から２時間前までの間に撮像されて不審者に該当すると判定された不審者である。該当する不審者に関する不審者情報には、該当する不審者が玄関子機５のカメラ５６により撮像された時の不審者の位置（玄関子機位置情報）およびその時刻（不審者該当時刻）の情報が含まれる。
【００６１】
また、サーバ４の制御部４２は、情報端末３からの要求信号に含まれる入力情報（出発地、目的地、等）に基づいて、案内経路を算出し（ステップＳ１２）、算出した案内経路情報、記憶部４０に記憶された地図情報および情報端末３に関連する不審者情報を、要求信号の送信元である情報端末３へ送信する（ステップＳ１３）。なお、案内経路は、出発地から目的地までの最短経路でもよく、あるいは、不審者情報に基づいて不審者を回避した経路でもよい。例えば、最短経路付近に不審者情報が多数存在する場合には、制御部４２は、案内経路として不審者情報が少ない別の経路を設定してもよい。
【００６２】
次に、サーバ４の制御部４２から案内経路情報、地図情報および情報端末３に関連する不審者情報を受信した情報端末３は、これらの情報を表示部３０に表示する（ステップＳ１４）。図８に示すように、表示部３０には、案内経路５０、不審者の所定の時間前から現在時刻に至るまでの位置Ｐ1〜Ｐ３および対応する時刻Ｔ１〜Ｔ３等が重畳された地図が表示される。情報端末３は、ユーザによる経路検索終了操作を受けると、図８の経路検索結果画面の表示を終了し、サーバ４へ停止信号を送信する。
【００６３】
サーバ４の制御部４２は、情報端末３からの停止信号を受信するまでの間に記憶部４０に記憶された情報テーブルを更新する場合には、更新された情報に情報端末３に関連する不審者情報が含まれているかを判定する（ステップＳ１５）。ステップＳ１５において、更新された情報に情報端末３に関連する不審者情報が含まれていると判定された場合（ステップＳ１５のＹｅｓ）、サーバ４の制御部４２は、情報端末３に関連する新たな不審者情報を情報端末３へ送信する（ステップＳ１６）。
【００６４】
サーバ４の制御部４２から新たな不審者情報を受信した情報端末３は、表示部３０に表示されている不審者情報を更新・表示する（ステップＳ１７）。これにより、情報端末３のユーザはリアルタイムに最新の不審者情報を把握することができる。また、情報端末３は、新たに受信した不審者情報に基づいて、案内経路５０あるいは情報端末３（ユーザの位置）に不審者が近づいていると判断した場合には、スピーカー（図示せず）からアラームを出力する（ステップＳ１７）。
【００６５】
以上説明したように、本実施形態に係るインターホンシステム１は、各住居に取り付けられ、操作部５２とカメラ５６とをそれぞれ有する複数の玄関子機５−１〜５−ｎと、それぞれ対応する玄関子機５と通信可能に構成される複数の居室親機２−１〜２−ｎと、複数の居室親機２−１〜２−ｎと通信可能なサーバ４（制御部４２）と、表示部３０を有し、制御部と通信可能に構成され、ユーザ入力情報を含む要求信号をサーバ４０に送信する情報端末３と、を備えている。そして、サーバ４は、複数の玄関子機５−１〜５−ｎのそれぞれの識別情報と、カメラ５６によって撮像された画像データとを複数の居室親機２−１〜２−ｎを介して取得し、識別情報と画像データとに基づいて不審者に関する不審者情報（情報テーブル）を生成し、情報端末３からの要求信号に含まれるユーザ入力情報に基づいて生成した不審者情報のうち情報端末３に関連する不審者情報を情報端末３に送信する。情報端末３は、ユーザ入力情報に基づいて設定された案内経路の情報と、不審者情報と、地図情報とを表示部３０に表示させる。
【００６６】
このように、各住居に取り付けられた複数の玄関子機５からの識別情報および画像データに基づいて不審者情報を生成し、情報端末３に関連する不審者情報をユーザに知らせることにより、地域の防犯力の向上に寄与可能な構成を備えたインターホンシステムを提供することができる。また、情報端末３の表示部３０に表示された地図および案内経路と共に不審者情報を表示させることで、ユーザが案内経路付近の不審者情報を容易に把握することができる。
【００６７】
（第２実施形態）
図９は、第２実施形態に係るドアベルシステムの構成を示す図である。第２実施形態では、第１実施形態と同一要素及び同様な工程については、その詳しい説明を省略する。特に、情報端末３およびサーバ４の構成ならびに不審者情報表示機能の動作は、第１実施形態と同一であるため、その詳しい説明を省略する。
【００６８】
図９に示すように、ドアベルシステム１００は、複数のドアベル６−１〜６−ｎと、複数の情報端末３−１〜３−ｎ（外部機器の一例）と、サーバ４とを含む。複数のドアベル６−１〜６−ｎと、複数の情報端末３−１〜３−ｎとは、ネットワークＮを介して、外部ネットワーク上にあるサーバ４と通信可能である。各ドアベル６−１〜６−ｎおよび各情報端末３−１〜３−ｎとネットワークＮとを中継する通信機器としては、例えば、Ｗｉ−Ｆｉルータが用いられ得る。以下では、複数のドアベル６−１〜６−ｎのうちドアベル６−１（以下、ドアベル６と称する）について代表して説明する。また、複数の情報端末３−１〜３−ｎのうち情報端末３−１（以下、情報端末３と称する）について代表して説明する。
【００６９】
図１０は、ドアベル６の構成を示す機能ブロック図である。
ドアベル６は、来訪者が居住者を呼び出して通話するためなどに用いられるものであり、例えば各建物（戸建住戸など）の玄関等に設置されている。各ドアベル６は、取り付けられる建物の電力システムと所定の配線により電気的に接続されることで、当該電力システムから電力が供給される。なお、ドアベル６は、バックアップおよび／または一次電源用の電池を含んでも良い。
【００７０】
図１０に示すように、ドアベル６は、制御部６１と、操作部（呼出ボタン）６２と、マイク６３と、スピーカ６４と、人感センサ６５と、カメラ６６と、画像処理部６７と、位置情報取得部６８と、Ｉ／Ｆ６９とを備えている。
【００７１】
制御部６１は、ドアベル６の各部の動作を制御するための制御部であり、例えば、１以上のプロセッサと１以上のメモリを含む少なくとも一つのマイクロコントローラと、トランジスタ等のアクティブ素子およびパッシブ素子を含むその他電子回路から構成されている。また、制御部６１は、集積回路（ハードウェア資源）によって構成されてもよく、少なくとも一つのマイクロコントローラと集積回路との組み合わせによって構成されてもよい。
【００７２】
操作部６２は、来訪者の各種入力操作を受け付ける。各種入力操作には、例えば、居住者の呼出等が含まれる。操作部６２は、制御部６１を介して、カメラ６６に接続されている。操作部６２は、呼出の入力操作がなされたことを知らせる呼出信号をカメラ６６へ出力する。マイク６３およびスピーカ６４は、居住者（本例では、ドアベル６が設置された建物の居住者が所有する情報端末３）に向けて来訪者側のメッセージ等の音声データを送出したり、来訪者に向けて居住者側のメッセージ等の音声データを出力するための通話部を構成する。
【００７３】
人感センサ６５は、ドアベル６の前方にいる人物を感知するためのセンサであり、例えば赤外線センサで構成されている。人感センサ６５は、制御部６１を介して、カメラ６６に接続されている。人感センサ６５は、人物を感知したことを知らせる検出信号をカメラ６６へ出力する。カメラ６６は、来訪者等の人物を撮像するための撮像機器である。カメラ６６は、ウェブカメラであるビデオカメラとして構成しても良い。例えば、カメラ６６は、人感センサ６５から出力される検出信号に基づいて起動する。あるいは、操作部６２から出力される呼出信号に基づいて起動してもよい。カメラ６６が撮像した画像は、画像処理部６７へ出力される。画像処理部６７は、例えば、プロセッサとメモリから構成されており、制御部６１の制御信号に基づいて、カメラ６６から取得した画像データを、Ｉ／Ｆ６９を介してサーバ４へ送信する。
【００７４】
位置情報取得部６８は、ドアベル６の位置情報を取得するように構成されている。位置情報は、例えば、ＧＰＳを用いて取得される。なお、ドアベル６を建物に設置する際の初期設定時に、居住者によって、ドアベル６の位置情報が位置情報取得部６８に予め登録されてもよい。制御部６１は、位置情報取得部６８により取得された位置情報を、サーバ４へ送信するように構成されている。なお、ドアベル６の位置情報が更新された場合には、制御部６１は、更新された位置情報をサーバ４へ送信し得る。
【００７５】
Ｉ／Ｆ６９は、ネットワークＮを介して、サーバ４と通信可能である。このように、ドアベル６は、サーバ４に対して所定のデータ（例えば、音声データや画像データ）を送信し、来訪者と、情報端末３のユーザとの間での双方向音声通話等による通信を開始することができる。なお、ドアベル６のＩ／Ｆ６９は、情報端末３と直接通信可能に構成されてもよい。
【００７６】
情報端末３は、ドアベル６からの呼び出しに、ドアベル６が設置された住居の居住者（ユーザ）が応答するためなどに用いられる機器である。情報端末３は、例えば、居住者が所有するスマートフォン、タブレットコンピュータ、およびその他の携帯情報端末を含む。ドアベル６と情報端末３とは、サーバ４を介して通信可能である。
【００７７】
サーバ４は、記憶部４０と、制御部４２とを備えている。制御部４２は、ドアベル６から送信されたデータ（画像データや音声データ）を記憶部４０へ記憶するとともに、当該データを情報端末３へ送信可能である。また、制御部４２は、情報端末３から送信されたデータを記憶部４０へ記憶するとともに、当該データをドアベル６へ送信可能である。このように、サーバ４は、所定のデータ（例えば、音声データや画像データ）をドアベル６および情報端末３との間で送受信することにより、ドアベル６が設置された建物への来訪者と情報端末３のユーザとの間での双方向音声通話等による通信を開始することができる。
【００７８】
また、記憶部４０には、来訪者が不審者に該当するか否かを判定するための不審者判定データが記憶されている。不審者判定データとしては、例えば、予め記憶部４０に記憶された不審者の画像や不審者を判定するための行動パターンが含まれ得る。また、記憶部４０には、例えば、ドアベル６の識別情報、ドアベル６の位置情報、不審者該当時刻を含む情報テーブルが記憶されている（図１２参照）。また、記憶部４０には、地図情報が記憶されている。
【００７９】
制御部４２は、ドアベル６から受信したデータと記憶部４０に記憶されている不審者判定データを用いて、不審者判定処理を実行可能に構成されている。制御部４２は、不審者判定によりドアベル６から受信したデータに含まれる来訪者が不審者であると判定した場合には、ドアベル６から受信したデータに基づいて、記憶部４０に記憶されている情報テーブルを更新する。
【００８０】
また、制御部４２は、記憶部４０に記憶されている地図情報および情報端末３から送信されたユーザ入力情報に基づいて経路探索を行い、案内経路を算出可能に構成されている。また、制御部４２は、情報端末３から送信されたユーザ入力情報に基づいて、記憶部４０に記憶されている情報テーブル（図１２）の不審者情報から、情報端末３に関連する不審者情報（例えば、ドアベル６のカメラ６６により撮像された時の不審者の位置および時刻の情報）を抽出・生成可能に構成されている。
【００８１】
次に、図１１を参照して、ドアベルシステム１００により実行される不審者情報登録機能の動作について説明する。
まず、ドアベル６の制御部６１は、人感センサ６５により前方にいる人物（来訪者または通りかかった人：以下、来訪者と称する）を感知したか否かを判定する（ステップＳ２１）。ステップＳ２１において、人感センサ６５により来訪者を感知したと判定した場合（ステップＳ２１のＹｅｓ）、制御部６１は、カメラ６６によりドアベル６の前方領域（具体的には、来訪者）の撮像を開始する（ステップＳ２２）。次に、カメラ６６は、撮像した画像データを画像処理部６７へ送信する（ステップＳ２３）。次に、制御部６１は、画像処理部６７が受信した画像データを、ドアベル６の識別情報および当該ドアベル６の位置情報取得部６８により取得された位置情報とともに、Ｉ／Ｆ６９を介してサーバ４に送信する（ステップＳ２４）。なお、ドアベル６の初期設定時にドアベル６の識別情報および位置情報がサーバ４の制御部４２に登録されている場合には、制御部６１は、画像データおよびドアベル６の識別情報のみを送信してもよい。
【００８２】
サーバ４の制御部４２は、ドアベル６から受信した画像データを記憶部４０に記憶された不審者判定データと比較し、画像データに含まれる来訪者が不審者に該当するか否かを判定する（ステップＳ２５）。例えば、記憶部４０に記憶された不審者の画像データおよびドアベル６から受信した来訪者の画像データに基づいて顔認証が行われる。ステップＳ２５において、画像データに含まれる来訪者が不審者に該当すると判定された場合には（ステップＳ２５のＹｅｓ）、制御部４２は、ドアベル６の識別情報、位置情報および画像データに基づいて、記憶部４０に記憶された情報テーブルを更新する（ステップＳ２６）。具体的には、ドアベル識別情報、ドアベル位置情報および不審者該当時刻が図１２に示す情報テーブルに書き込まれる。なお、情報テーブルには、記憶部４０に記憶された不審者の画像データのアドレス情報あるいは画像データ自体を含めてもよい。あるいは、ドアベル６から受信した不審者の最新の画像データを記憶部４０に記憶し、最新の画像データのアドレス情報あるいは画像データ自体を情報テーブルに含めてもよい。
【００８３】
ドアベルシステム１００により実行される不審者情報表示機能の動作については、図４、図６〜図８のインターホンシステム１により実行される不審者情報表示機能の動作と同様である。サーバ４の制御部４２は、情報端末３からの要求信号に含まれるユーザの入力情報（出発地、目的地、等）に基づいて案内経路を算出し、算出した案内経路情報、記憶部４０に記憶された地図情報および情報端末３に関連する不審者情報を、要求信号の送信元である情報端末３へ送信する。情報端末３は、サーバ４の制御部４２から受信したこれらの情報を表示部３０に表示する。
【００８４】
以上説明したように、本実施形態に係るドアベルシステム１００は、各住居に取り付けられ、操作部６２とカメラ６６とをそれぞれ有する複数のドアベル６−１〜６−ｎと、複数のドアベル６−１〜６−ｎと通信可能なサーバ４（制御部４２）と、表示部３０を有し、サーバ４と通信可能に構成され、ユーザ入力情報を含む要求信号をサーバ４に送信する情報端末３と、を備えている。そして、サーバ４は、複数のドアベル６−１〜６−ｎのそれぞれの識別情報と、カメラ６６によって撮像された画像データとを取得し、識別情報と画像データとに基づいて不審者に関する不審者情報を生成し、情報端末３からの要求信号に含まれるユーザ入力情報に基づいて生成した不審者情報のうち情報端末３に関連する不審者情報を情報端末３に送信する。情報端末３は、ユーザからの入力情報に基づいて設定された案内経路５０の情報と、不審者情報と、地図情報とを表示部３０に表示させる。
【００８５】
このように、各住居に取り付けられた複数のドアベル６−１〜６−ｎからの識別情報および画像データに基づいて不審者情報を生成し、情報端末３に関連する不審者情報をユーザに知らせることにより、地域の防犯力の向上に寄与可能な構成を備えたドアベルシステムを提供することができる。また、情報端末３の表示部３０に表示された地図および案内経路と共に不審者情報を表示させることで、ユーザが案内経路付近の不審者情報を容易に把握することができる。
【００８６】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【００８７】
上記の実施形態では、玄関子機５の人感センサ５５あるいはドアベル６の人感センサ６５により来訪者が感知された場合に、当該来訪者が不審者に該当するか否かを判定しているが、この例に限られない。例えば、来訪者により玄関子機５の操作部５１あるいはドアベル６の操作部６２が押下された場合に、当該来訪者が不審者に該当するか否かを判定してもよい。
【００８８】
また、上記の実施形態では、不審者判定データとして用いる不審者の画像データは、画像データを撮像した玄関子機５のカメラ５６あるいはドアベル６のカメラ６６のユーザが居室親機２または情報端末３により不審者として登録した画像データであるが、この例に限定されない。例えば、登録された不審者の画像データに対して、登録したユーザとは異なる他の玄関子機５−１〜５−ｎあるいはドアベル６−１〜６−ｎのユーザが同様に不審者として判定および登録した割合が高い（例えば、６０％以上）不審者の画像データを不審者判定データとして用いてもよい。
【００８９】
また、上記の実施形態では、情報端末３に関連する不審者情報には、不審者の位置およびその時刻の情報が含まれているが、この例に限られない。上述の通り、情報テーブルに不審者の画像データのアドレス情報あるいは画像データ自体が含まれている場合には、不審者の画像データを、情報端末３に関連する不審者情報に含めてもよい。例えば、表示部３０に表示された地図上に重畳された不審者の位置Ｐ1〜Ｐ３のマークにカーソルを当てると、不審者の画像データを表示してもよい。なお、この画像データは、プライバシーの観点から、必要に応じて、所定の画像処理がなされて表示される。
【００９０】
また、上記の実施形態では、サーバ４０の記憶部４０が地図情報を記憶し、サーバ４０の制御部４２がユーザの入力情報（出発地、目的地、等）等に基づいて案内経路を算出し、算出した案内経路情報、記憶部４０に記憶された地図情報および不審者情報を情報端末３に送信しているが、この例に限られない。例えば、情報端末３は、サーバ４０とは別のサーバからネットワークを介して地図情報および案内経路情報を受信し、サーバ４０から受信した不審者情報と併せて、表示部３０に表示させてもよい。あるいは、情報端末３は、予め地図情報を記憶しており（他のサーバからネットワークを介して定期的に受信・更新してもよい）、ユーザの入力情報等に基づいて案内経路を算出し、サーバ４０から受信した不審者情報と併せて算出した案内経路情報および地図情報を、表示部３０に表示させてもよい。
【００９１】
また、上記の実施形態では、リアルタイムに受信する不審者情報に基づいて、案内経路５０あるいは情報端末３（ユーザ）に不審者が近づいていると情報端末３が判断しているが、この例に限られない。例えば、サーバ４の制御部４１がリアルタイムに更新される情報端末３に関連する不審者情報に基づいて、案内経路５０あるいは情報端末３に不審者が近づいているか否かの判断を行い、ステップＳ１６において新たな不審者情報と共にその判断結果を情報端末３へ送信してもよい。
【符号の説明】
【００９２】
１：インターホンシステム、２：居室親機、３：情報端末（外部機器の一例）、４：サーバ、５：玄関子機、６：ドアベル、２１：制御部Ｕ、２２：操作部、２３：マイク、２４：スピーカ、２５：表示部、２６：インターフェース回路、２７：インターフェース回路、２８：記憶部、３０：表示部、３２：ユーザ・インターフェース、３４：画像表示部、３５：経路探索設定部、３６：応答許可受付部、３７：不審者情報設定部、３８：録画受付部、４０：記憶部、４２：制御部、５０：案内経路、６１：制御部、６２：操作部、６３：マイク、６４：スピーカ、６５：人感センサ、６６：カメラ、６７：画像処理部、６８：位置情報取得部、６９：インターフェース回路、１００：ドアベルシステム、Ｎ：ネットワーク、Ｌ：信号線、Ｐ１，Ｐ２，Ｐ３：不審者の位置、Ｔ１，Ｔ２，Ｔ３：不審者の位置に対応する時刻
【図１】
2019146082.tif 000003
【図２】
2019146082.tif 000004
【図３】
2019146082.tif 000005
【図４】
2019146082.tif 000006
【図５】
2019146082.tif 000007
【図６】
2019146082.tif 000008
【図７】
2019146082.tif 000009
【図８】
2019146082.tif 000010
【図９】
2019146082.tif 000011
【図１０】
2019146082.tif 000012
【図１１】
2019146082.tif 000013
【図１２】
2019146082.tif 000014